(57)【特許請求の範囲】
【請求項１】
付箋が付いている展開形状の封筒用紙が排紙可能な排紙トレイであって、
封筒用紙の幅と封筒用紙の幅方向両側に突出する耳部の幅との間の幅を有する底面と、
底面の両側部に起立して設けられ、上流の排紙ローラによって排紙される封筒用紙の耳部を受け、その上縁で搬送案内を行う起立片と、
を備えたことを特徴とする排紙トレイ。
【請求項２】
請求項１記載において、
底面は、起立片の先端起立縁の用紙排紙方向下流側に、耳部の排紙方向長さ分以上延出されていることを特徴とする排紙トレイ。
【請求項３】
請求項１記載において、
起立片の上縁は、排紙ローラの排紙位置以下の高さに設定されるいることを特徴とする排紙トレイ。
【請求項４】
請求項３記載において、
先端起立縁は略垂直に形成されていることを特徴とする排紙トレイ。
【請求項５】
請求項４記載において、
起立片の先端起立縁は、封筒用紙の付箋取り付け位置から外れた位置に形成されていることを特徴とする排紙トレイ。
【請求項６】
請求項５記載において、
起立片の排紙方向上流側は、高さが低く形成されており、上流側の上縁から下流側の上縁までは傾斜縁が形成されていることを特徴とする排紙トレイ。
【請求項７】
請求項６記載において、
起立片の下流側の上縁と傾斜縁は、封筒用紙の耳部を沿わせるに十分な大きな角度を以て連なることを特徴とする排紙トレイ。
【請求項８】
請求項７記載において、
底面の先端には、封筒用紙の飛び出しを阻止するストッパが形成されていることを特徴とする排紙トレイ。
【発明の詳細な説明】
【０００１】
【発明の属する技術分野】
本発明は、複写機、プリンタなどの画像形成装置の排紙部に取り付けられる排紙トレイに関し、特に、特殊形態対応、具体的には糊付けされていない展開形状の封筒用紙で、かつ付箋が付いている封筒用紙を排紙するのに好適な排紙トレイに関する。
【０００２】
【従来の技術】
糊付けされていない展開形状の封筒に付箋が付いている場合、この付箋に例えば、受取人の住所、氏名、引受番号、摘要、受領印などの文書を印刷したり、コピーする場合がある。画像形成装置を利用して封筒用紙に印刷やコピーを行った後、この封筒用紙は排紙トレイに排紙され、積載されることになる。
【０００３】
【発明が解決しようとする課題】
図４は付箋付きの封筒用紙を排紙して積載する場合の不具合を示す説明図である。
見開き状態の封筒用紙１は、付箋２を設けている。付箋２の接着部２ａが封筒用紙１に接着され、自由端部２ｂが封筒用紙１に対して自由になっている。すなわち、浮き上がることが出来るようになっている。
このような封筒用紙１を、例えば付箋２を上にして複数枚順次排紙する場合、積載された最上位の封筒用紙１の付箋２に次に排紙される封筒用紙１の先端が突き当たって、最上位の封筒用紙１を押し出してしまう場合がある。
【０００４】
また、図４に示すように、付箋２の自由端部２ｂが封筒用紙１の面から浮いていると、次に排紙される封筒用紙１の先端が、この自由端部２ｂに入り込んで、折り曲がってしまうことがある。
従って、通常の排紙トレイに付箋付きの封筒用紙を排紙しようとすると、積載不良や排紙ジャムが起こりやすいという問題がある。
【０００５】
そこで、本発明は、付箋付きの見開き形状の封筒用紙を正確に積載することができる排紙トレイを提供することを目的とする。
【０００６】
【課題を解決するための手段】
上記目的を達成するために、請求項１記載の発明は、付箋が付いている展開形状の封筒用紙が排紙可能な排紙トレイであって、
封筒用紙の幅と封筒用紙の幅方向両側に突出する耳部の幅との間の幅を有する底面と、
底面の両側部に起立して設けられ、上流の排紙ローラによって排紙される封筒用紙の耳部を受け、その上縁で搬送案内を行う起立片と、
を備えたことを特徴とするものである。
【０００７】
また請求項２記載の発明は、請求項１記載の発明において、
底面は、起立片の先端起立縁の用紙排紙方向下流側に、耳部の排紙方向長さ分以上延出されていることを特徴とするものである。
【０００８】
また請求項３記載の発明は、請求項１記載の発明において、
起立片の上縁は、排紙ローラの排紙位置以下の高さに設定されるいることを特徴とするものである。
【０００９】
また請求項４記載の発明は、請求項３記載の発明において、
先端起立縁は略垂直に形成されていることを特徴とするものである。
【００１０】
また請求項５記載の発明は、請求項４記載の発明において、
起立片の先端起立縁は、封筒用紙の付箋取り付け位置から外れた位置に形成されていることを特徴とするものである。
【００１１】
また請求項６記載の発明は、請求項５記載の発明において、
起立片の排紙方向上流側は、高さが低く形成されており、上流側の上縁から下流側の上縁までは傾斜縁が形成されていることを特徴とするものである。
【００１２】
また請求項７記載の発明は、請求項６記載の発明において、
起立片の下流側の上縁と傾斜縁は、封筒用紙の耳部を沿わせるに十分な大きな角度を以て連なることを特徴とするものである。
【００１３】
また請求項８記載の発明は、請求項７記載の発明において、
底面の先端には、封筒用紙の飛び出しを阻止するストッパが形成されていることを特徴とするものである。
【００１４】
請求項１記載の発明では、排紙部から排紙トレイに向けて排紙される封筒用紙は、その幅方向（用紙の排紙方向と直角な方向）に突出する耳部が起立片の上縁に載せられて前方（排紙方向下流側）に進み、耳部が起立片から外れた位置で、付箋に対する影響が無い状態で封筒用紙の幅に近い幅を持つ底面に落下するようになっている。従って、排紙ジャムや積載不良が回避される。また底面は、耳部の幅分の広さを必要としないので、その面積は小さく抑えられる。
【００１５】
請求項２記載の発明では、底面に落下した封筒用紙の先端部（耳部がその側方に形成されている部分）を底面で確実に受けることができるようになっているので、先端部のたわみが無くなる（先端部を受ける底面部分が無くても、封筒用紙を底面に積載することはできる）。
【００１６】
請求項３記載の発明では、起立片の上縁が排紙ローラの排紙位置より低いので、排紙時の封筒用紙の耳部にかかるストレスを軽減してスムーズに排紙が行われる。
【００１７】
請求項４記載の発明では、起立片の先端の起立縁は垂直であるので、耳部が上縁を外れると略真下に封筒用紙が落下する。その分、底面の長さを短くすることができる。
【００１８】
請求項５記載の発明では、起立片の先端起立縁は、封筒用紙の付箋取り付け位置から外れた位置に形成されているので、次に排紙される封筒用紙が付箋部に入り込んでしまう危険性はより少なくなる。
【００１９】
請求項６及び請求項７記載の発明では、請求項３記載の発明と同様に、スムーズな排紙が行われる。
【００２０】
請求項８記載の発明では、ストッパにより封筒用紙の飛び出しが阻止されるので、さらに積載性が向上する。
【００２１】
【発明の実施の形態】
以下、本発明の実施の形態を添付図面を参照しながら説明する。
図１は複写機に取り付けられた本発明の実施の形態の排紙トレイを示す斜視図、図２は同じく側面図、図３は見開き状態の封筒用紙の上面図である。
図１に示すように、排紙トレイ１０は、複写機１１の排紙部に取り付けられている。
【００２２】
排紙トレイ１０は、底面１２と、底面１２の両側部にあって、複写機１１との取り付け基部（排紙方向上流側端部）から途中まで上方に折り曲げて形成した起立片１３と、底面１２の先端（排紙方向下流側端部）の中央を上方に折り曲げて形成したストッパ１４とを備えている。なお、起立片１３より先端の底面１２は、その上に封筒用紙１が載置されている関係で破線で示すが、先窄まりの状態となっている。
【００２３】
また、この部分は、封筒用紙１の排紙方向先端に形成された耳部１ａを受ける部分であるので、耳部１ａの長さより若干長いものとなっている。なお、この部分が無くても、つまり起立片１３が底面１２の先端まで形成されていても、若干たわむものの、封筒用紙１を底面１２に積載することは可能である。
【００２４】
複写機１１は、排紙部に排紙ローラ２０を備えており、封筒用紙１は矢印Ｃ方向に排紙されるようになっている。
排紙トレイ１０の起立片１３は、その排紙方向上流側が低く、下流側は高くなっているが、高くなっている下流側部分においても、上縁１３ａまでの高さＸ２は、排紙トレイ１０の取り付け位置から排紙ローラ２０の取り付け位置（排紙位置）までの高さＸ１以下となっている。
【００２５】
図３にも示すように、封筒用紙１の幅（排紙方向と直角方向の長さ）はＺ１、耳部１ａの幅はＺ２（Ｚ２＞Ｚ１）である。
排紙トレイ１０の底面１２の幅Ｚ３は、Ｚ１とＺ２の間（Ｚ１≦Ｚ３＜Ｚ２）である。従って、底面１２の両側を上方に折り曲げて形成した一対の起立片１３間の幅は耳部１ａの幅Ｚ２より短いので、封筒用紙１の先端側に形成されている耳部１ａは、排紙ローラ２０による排紙時に起立片１３の上縁１３ａに載って、そのまま底面１２より浮いた状態で排紙されることになる。
【００２６】
起立片１３の先端起立縁１３ｂは垂直となっている。つまり、Ａ部（水平な上縁１３ａと起立縁１３ｂのなす角度）は直角となっている。
このことにより、上縁１３ａの先端を耳部１ａが外れると、図２に示すように、封筒用紙１は、Ｄ方向に略垂直に全体が落下し、積載される。従って、起立片１３の前方の底面１２は、耳部１ａの長さ分だけあれば良いことになる。つまり、余裕分ｄが小さくて済む。そして、封筒用紙１の先端は、ストッパ１４に突き当たり、飛び出しを阻止される。
【００２７】
起立片１３の高さの異なる上縁は傾斜縁１３ｃによって結ばれており、下流側の上縁１３ａと傾斜縁１３ｃの連続する部分（Ｂの部分）は、封筒用紙１の耳部１ａを確実に沿わせるために、大きな曲率の円弧部となっている。
また、起立片１３の先端起立縁１３ｂの位置Ｙ１は、付箋２の取り付け位置Ｙ２と異ならせてある。これにより、付箋２に対する影響を無くして、封筒用紙１を落下させることができる。
【００２８】
本発明は、このように、排紙ローラ２０により排紙される封筒用紙１の耳部１ａを起立片１３で受け、底面１２より浮かせた状態で排紙し、耳部１ａが起立片１３の先端を過ぎた時点で封筒用紙１が底面１２に落下するようになっている。この落下時に封筒用紙１の先端は付箋２より先方にあるので、付箋２を押し出したり、付箋２に入り込んだりすることは無くなる。
【００２９】
【発明の効果】
請求項１記載の発明によれば、排紙部から排紙トレイに向けて排紙される封筒用紙は、その幅方向（用紙の排紙方向と直角な方向）に突出する耳部が起立片の上縁に載せられて前方（排紙方向下流側）に進み、耳部が起立片から外れた位置で、付箋に対する影響が無い状態で封筒用紙の幅に近い幅を持つ底面に落下するようになっている。従って、排紙ジャムや積載不良を回避することができる。また底面は耳部の幅分の広さを必要としないので、その面積を小さく抑えることができる。
【００３０】
請求項２記載の発明によれば、底面に落下した封筒用紙の先端部（耳部がその側方に形成されている部分）を底面で確実に受けることができるようになっているので、先端部のたわみを無くすことができる。
【００３１】
請求項３記載の発明によれば、起立片の上縁が排紙ローラの排紙位置より低いので、排紙時の封筒用紙の耳部にかかるストレスを軽減してスムーズに排紙を行うことができる。
【００３２】
請求項４記載の発明によれば、起立片の先端の起立縁は垂直であるので、耳部が上縁を外れると略真下に封筒用紙が落下するので、その分、底面の長さを短くすることができる。
【００３３】
請求項５記載の発明によれば、起立片の先端起立縁は、封筒用紙の付箋取り付け位置から外れた位置に形成されているので、次に排紙される封筒用紙が付箋部に入り込んでしまう危険性をより少なくすることができる。
【００３４】
請求項６及び請求項７記載の発明によれば、請求項３記載の発明と同様に、スムーズな排紙を行うことができる。
【００３５】
請求項８記載の発明によれば、ストッパにより封筒用紙の飛び出しが阻止されるので、さらに積載性を向上することができる。
【図面の簡単な説明】
【図１】複写機に取り付けられた本発明の実施の形態の排紙トレイを示す斜視図である。
【図２】同じく側面図である。
【図３】見開き状態の封筒用紙の上面図である。
【図４】付箋付きの封筒用紙を排紙して積載する場合の不具合を示す説明図である。
【符号の説明】
１  封筒用紙
１ａ  耳部
２  付箋
２ａ  接着部
２ｂ  自由端部
１０  排紙トレイ
１１  複写機
１２  底面
１３  起立片
１３ａ  上縁
１３ｂ  先端起立縁
１３ｃ  傾斜縁
１４  ストッパ
２０  排紙ローラ
Ｘ１  排紙位置までの高さ
Ｘ２  起立片１３の高さ
Ｙ１  先端起立縁の位置
Ｙ２  付箋の取り付け位置
Ｚ１  封筒用紙の幅
Ｚ２  封筒用紙の耳部の幅
Ｚ３  底面の幅
【図１】
0003635446.tif 000002
【図２】
0003635446.tif 000003
【図３】
0003635446.tif 000004
【図４】
0003635446.tif 000005